(57)【要約】      （修正有）【課題】携帯式の防湿貯蔵用容器を提供する。【解決手段】携帯式の防湿貯蔵用容器は乾燥容器及び乾燥器２を備える。なお、乾燥容器は収納空間、開口部及び容器側面を有する。乾燥器２は乾燥器本体を含む。乾燥器本体は容器側面に設置されると共に吸湿口及び排湿口を有し、吸湿口は収納空間に連通され、排湿口は吸湿口に対し他側に設置されると共に吸湿口に対応するように連通される。ここでは、使用者が開閉用板部により乾燥容器の開口部に蓋をすると、乾燥器２が収納空間に対し乾燥を行う。【選択図】図６
0003193727.tif 000002
【実用新案登録請求の範囲】
【請求項１】
収納空間、開口部及び容器側面を有する乾燥容器と、
乾燥器を備え、前記乾燥器は、
前記容器側面に設置されると共に吸湿口及び排湿口を有し、前記吸湿口は前記収納空間に連通され、前記排湿口は前記吸湿口に対し他側に設置されると共に前記吸湿口に対応するように連通され、且つそれは前記容器側面の箇所から外に露出されると共に表示装置及び制御部材が更に設置される乾燥器本体を更に含み、
ここでは、使用者が開閉用板部により前記乾燥容器の前記開口部に蓋をすることで、前記乾燥器が前記収納空間に対し乾燥を行うことを特徴とする携帯式の防湿貯蔵用容器。
【請求項２】
前記乾燥器は、前記乾燥器本体に設置されると共に前記吸湿口に対応するように蓋をする保護用蓋体を更に備え、且つ前記保護用蓋体は支持面を有し、前記支持面には少なくとも１つの通気孔が開設され、これにより前記吸湿口は前記通気孔を経由して前記収納空間に連通されることを特徴とする、請求項１記載の携帯式の防湿貯蔵用容器。
【請求項３】
前記支持面は弧状支持面であることを特徴とする、請求項２記載の携帯式の防湿貯蔵用容器。
【請求項４】
前記支持面には複数枚の凸型板が更に設置され、前記通気孔はこれら前記凸型板の間に設置されることを特徴とする、請求項２記載の携帯式の防湿貯蔵用容器。
【請求項５】
これら前記凸型板は波状凸型板であることを特徴とする、請求項４記載の携帯式の防湿貯蔵用容器。
【請求項６】
前記保護用蓋体は前記支持面に隣接する側面を更に有し、且つ前記側面には少なくとも１つの側面貫通孔が開設され、これにより前記吸湿口は前記側面貫通孔に連通されることを特徴とする、請求項２記載の携帯式の防湿貯蔵用容器。
【請求項７】
前記容器側面に設置されると共に前記乾燥器に電気的に接続される充電電池モジュールを更に備えることを特徴とする、請求項１記載の携帯式の防湿貯蔵用容器。
【請求項８】
前記乾燥器は電源コードを経由し外部電源に接続されることを特徴とする、請求項１記載の携帯式の防湿貯蔵用容器。
【請求項９】
吸湿口及び排湿口を有し、前記排湿口は前記吸湿口に対し他側に設置され、且つ前記排湿口は前記吸湿口に対応するように連通され、また乾燥器本体には表示装置及び制御部材が更に設置される乾燥器本体と、
前記乾燥器本体に設置されると共に前記吸湿口に対応するように蓋をし、且つそれは支持面を有し、前記支持面には少なくとも１つの通気孔が開設され、前記吸湿口は前記通気孔に連通される保護用蓋体を備えることを特徴とする乾燥器。
【請求項１０】
前記支持面は弧状支持面であることを特徴とする、請求項９記載の乾燥器。
【請求項１１】
前記支持面には複数枚の凸型板が更に設置され、前記通気孔はこれら前記凸型板の間に設置されることを特徴とする、請求項９記載の乾燥器。
【請求項１２】
これら前記凸型板は波状凸型板であることを特徴とする、請求項１１記載の乾燥器。
【請求項１３】
前記保護用蓋体は前記支持面に隣接する側面を更に有し、且つ前記側面には少なくとも１つの側面貫通孔が開設され、これにより前記吸湿口は前記側面貫通孔に連通されることを特徴とする、請求項９記載の乾燥器。
【考案の詳細な説明】
【技術分野】
【０００１】
本考案は、弧型支持面を有する乾燥器の携帯式の防湿貯蔵用容器及びその乾燥器に関する。
【背景技術】
【０００２】
精密な電子機器や湿気に敏感な他の物品の保護するために、通常は物品を防湿機能を有する防湿容器内に保存する。
【考案の概要】
【考案が解決しようとする課題】
【０００３】
しかしながら、現在の防湿容器は、通常乾燥器が直接防湿容器体に装設され、且つ乾燥器の表示装置と制御部材とが別々に設置されるため、使用者が操作する上で至極不便であった。このため、防湿容器体に装設される乾燥器は防湿容器体内部の収納空間の温度及び湿度を維持させることは可能であるが、但し乾燥器の吸湿口は通常平面のケースに開設されるため、保存されている物品が乾燥器に接近すると、吸湿口が塞がれやすくなり、吸湿効果が低下し、さらには乾燥器の仕事効率も低下し、乾燥器が過負荷により損壊する危険性もあった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、携帯式の防湿貯蔵用容器を提供することを主目的とする。
即ち、表示装置及び制御部材が設置された乾燥器を利用することで、使用者にとって操作しやすくなる。また、本考案の乾燥器の保護用蓋体は支持面を更に有するため、保存された物品と吸湿口との間に適度な距離を効果的に保持させ、乾燥器に正常な動作を維持させる。
【課題を解決するための手段】
【０００６】
上述した課題を解決し、目的を達成するために、本考案に係る携帯式の防湿貯蔵用容器は、
収納空間、開口部及び容器側面を有する乾燥容器と、
乾燥器を備え、前記乾燥器は、
前記容器側面に設置されると共に吸湿口及び排湿口を有し、前記吸湿口は前記収納空間に連通され、前記排湿口は前記吸湿口に対し他側に設置されると共に前記吸湿口に対応するように連通され、且つそれは前記容器側面の箇所から外に露出されると共に表示装置及び制御部材が更に設置される乾燥器本体を更に含み、
ここでは、使用者が開閉用板部により前記乾燥容器の前記開口部に蓋をすることで、前記乾燥器が前記収納空間に対し乾燥を行うことを特徴とする。
【０００７】
請求項２に記載の携帯式の防湿貯蔵用容器は、乾燥器は乾燥器本体に設置されると共に吸湿口に対応するように蓋をする保護用蓋体を更に備え、且つ保護用蓋体は支持面を有し、支持面には少なくとも１つの通気孔が開設され、これにより吸湿口は通気孔を経由して収納空間に連通される。好ましくは、前記支持面は弧状支持面であることを特徴とする。
【０００８】
請求項４に記載の携帯式の防湿貯蔵用容器は、支持面には複数枚の凸型板が更に設置され、通気孔は凸型板の間に設置される。好ましくは凸型板は波状凸型板であることを特徴とする。
【０００９】
請求項６に記載の携帯式の防湿貯蔵用容器は、保護用蓋体は支持面に隣接する側面を更に有し、且つ側面には少なくとも１つの側面貫通孔が開設され、これにより吸湿口は側面貫通孔に連通されることを特徴とする。
【００１０】
請求項７に記載の携帯式の防湿貯蔵用容器は、携帯式の防湿貯蔵用容器は容器側面に設置されると共に乾燥器に電気的に接続される充電電池モジュールを更に備えることを特徴とする。
【００１１】
請求項８に記載の携帯式の防湿貯蔵用容器は、乾燥器は電源コードを経由し外部電源に接続されることを特徴とする。
【００１２】
本考案に係る乾燥器は、乾燥器本体及び保護用蓋体を備える。乾燥器本体は吸湿口及び排湿口を有する、排湿口は吸湿口に対し他側に設置され、且つ排湿口は吸湿口に対応するように連通される。乾燥器本体には表示装置及び制御部材が更に設置される。保護用蓋体は乾燥器本体に設置されると共に吸湿口に対応するように蓋をし、且つ保護用蓋体は支持面を有し、支持面には少なくとも１つの通気孔が開設され、吸湿口は通気孔に連通されることを特徴とする。
【００１３】
請求項４に記載の乾燥器は、前記支持面は弧状支持面であることを特徴とする。
【００１４】
請求項４に記載の乾燥器は、支持面には複数枚の凸型板が更に設置され、通気孔は凸型板の間に設置される。好ましくは、凸型板は波状凸型板であることを特徴とする。
【００１５】
請求項４に記載の乾燥器は、保護用蓋体は支持面に隣接する側面を更に有し、且つ側面には少なくとも１つの側面貫通孔が開設され、これにより吸湿口は側面貫通孔に連通されることを特徴とする。
【図面の簡単な説明】
【００１６】
【図１】本考案に係る携帯式の防湿貯蔵用容器を説明する傾斜の概略図である。
【図２】本考案に係る携帯式の防湿貯蔵用容器側面を説明する平面の概略図である。
【図３】本考案に係る乾燥器を説明する傾斜の概略図である。
【図４】本考案に係る乾燥器を説明する傾斜の展開図である。
【図５】本考案に係る携帯式の防湿貯蔵用容器で開閉用板部を設置する傾斜の概略図である。
【図６】本考案に係る携帯式の防湿貯蔵用容器の開閉用板部の閉鎖を使用する時の状況の断面模式図である。
【図７】本考案に係る携帯式の防湿貯蔵用容器が外部電源を接続する傾斜の概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
［第１実施形態］
【００１８】
以下、第１実施形態を図１〜４に基づいて説明する。携帯式の防湿貯蔵用容器１００は乾燥容器１、乾燥器２及び充電電池モジュール３を備える。なお、乾燥容器１は収納空間１１、収納空間１１に連通される開口部１２、２つの取っ手部１３（図中では１つのみ図示する）、及び４面の容器側面１４（図中では１面のみ図示する）を有する。ここでは、使用者は乾燥容器１に湿度に敏感な物品を収納させ、２つの取っ手部１３が乾燥容器１の両側に対応するように設置されることで、使用者が携帯式の防湿貯蔵用容器１００を手軽に移動させることが可能である。また、他の好ましい実施形態によると、乾燥容器の底部にはローラーが更に設置され、使用者はローラーを使用して携帯式の防湿貯蔵用容器を移動可能である。
【００１９】
乾燥器２は乾燥器本体２１及び保護用蓋体２２を備える。乾燥器本体２１は乾燥容器１の容器側面１４に設置されると共に吸湿口２１１、排湿口２１２、給電部２１３、表示装置２１４及び制御部材２１５を有する。
【００２０】
吸湿口２１１は収納空間１１に連通され、排湿口２１２は吸湿口２１１に対し他側に設置され、且つ排湿口２１２は吸湿口２１１に対応するように連通され、これにより収納空間１１は吸湿口２１１及び排湿口２１２を通して外部に連通される。
【００２１】
また、給電部２１３は排湿口２１２の同側に設置され、これにより乾燥器本体２１は給電部２１３から給電される電力を用いて乾燥除湿作業を行う。
【００２２】
表示装置２１４は収納空間１１中の温度及び湿度等に関するデータを表示し、使用者は制御部材２１５により収納空間１１中の温度及び湿度をさらに調整させる。実際の運用においては、乾燥器本体２１に内蔵される温度計測器及び湿度計測器により温度及び湿度を計測し、温度及び湿度データを表示装置２１４により表示させる。このほか、他の好ましい実施形態では、表示装置は乾燥器本体の内側に設置され、本実施形態の乾燥器本体の外側に設置される実施態様に限定されず、使用者は実際の使用状況に応じ、乾燥容器の内側か外側で表示装置を観測し、制御部材により収納空間中の温度及び湿度の調整を行う。
【００２３】
保護用蓋体２２は乾燥器本体２１に設置されると共に吸湿口２１１に対応するように蓋をし、且つ保護用蓋体２２は弧状支持面２２１及び２面の側面２２２(図中では１面のみ図示する)を有する。弧状支持面２２１には複数の通気孔２２１１が開設され、且つ弧状支持面２２１には複数枚の凸型板２２１２が設置され、複数の通気孔２２１１が複数の凸型板２２１２の間に均等に分布されて設置される。また、この好ましい実施形態では、凸型板２２１２は波状凸型板である。
【００２４】
側面２２２には複数の側面貫通孔２２２１が開設され、吸湿口２１１は通気孔２２１１を経由して収納空間１１に連通されるのみならず、さらに側面貫通孔２２２１を経由して収納空間１１に連通される。
【００２５】
上述したように、保護用蓋体２２が弧状支持面２２１を有することで、収納空間１１内に収納される物品が通気孔２２１１を直接塞いでしまう状況を有効的に回避させ、且つ凸型板２２１２が設置されて物品に当着されることで、通気孔２２１１を収納空間１１及び吸湿口２１２に有効的に連通させる。また、凸型板２２１２は波状凸型板であるため、物品が通気孔２２１１を遮蔽する状況を有効的に回避でき、側面２２２に設置される側面貫通孔２２２１も収納空間１１を吸湿口２１１に連通させる。
【００２６】
充電電池モジュール３は容器側面１４に設置されると共に給電部２１３に電気的に接続され、電力を給電部２１３に給電させる。ここでは、乾燥器２は給電部２１３により充電電池モジュール３から給電される電力を受電する。然しながら他の実施形態では、給電部は外付け交流電源或いは電池を使用する直流電源でもよく、給電部２１３は充電電池を内蔵させ、外付けの交流電源から充電させてもよく、外付けの交流電源が無ければ、内蔵の充電電池により給電させる。
【００２７】
図５は、携帯式の防湿貯蔵用容器に開閉用板部が設置される概略図である。図５に示すように、開閉用板部２００は開閉式で開口部１２に設置され、これにより乾燥器２は収納空間１１に対し乾燥を行う。ここでは、本実施形態に係る開閉用板部２００は開口部１２に対応し、開閉用板部２００のサイズは開口部１２を完全に被覆させるものであり、且つ乾燥容器１２のサイズに適合する。然しながら他の実施形態では、開閉用板部のサイズは開口部を被覆させるのに十分であればよく、乾燥容器のサイズに適合させずともよい。
【００２８】
図６は、開閉用板部を有する携帯式の防湿貯蔵用容器の蓋をする実際の使用状態の断面図である。図６に示すように、携帯式の防湿貯蔵用容器１００の一辺が使用者の手３００で持ち上げられ、携帯式の防湿貯蔵用容器１００内に保存される物品４００が傾斜して乾燥器２に当着される。然しながら、乾燥器２は複数枚の凸型板２２１２を有するため、物品４００が通気孔２２１１を塞ぐ状況を有効的に回避でき、吸湿口２１１は通気孔２２１１を経由して収納空間１１に連通される。
【００２９】
図７は本考案に係る携帯式の防湿貯蔵用容器が外部電源に接続される傾斜の概略図である。図７に示すように、充電電池モジュール３は変圧器５００を経由し交流電源に接続されて充電を行い、電力は乾燥器２に直接供給される。実際の運用においては、本実施形態に係る携帯式の防湿貯蔵用容器１００は使用者が携帯して使用するのに便利であり、固設されて使用される用途に限定されず、また、他の好ましい実施形態では、外付けの電源は車載電源でもよく、使用者は交通機関を利用し携帯式の防湿貯蔵用容器を携帯し運送する際に、車載の充電器により乾燥器を車載電源に接続させ、乾燥器の動作に必要な電力を供給させる。
【００３０】
このほか、他の実施形態によれば、乾燥器は内蔵電源を更に備え、内蔵電源は乾燥器本体内に設置され、乾燥器は本体に内蔵される内蔵電源を使用して動作し、乾燥器を適切な場所に設置し独立して動作させることが可能であり、上述の乾燥容器に制限されない。
【００３１】
以上を総合すると、本考案に係る携帯式の防湿貯蔵用容器の乾燥容器には乾燥器及び充電電池モジュールが設置され、これにより使用者が物品を移動させる間にも物品の乾燥状態を保持させることができる。また、乾燥器は保護用蓋体を有することで、収納空間内の物品が携帯式の防湿貯蔵用容器が移動することで滑動してしまい、乾燥器に抵触しても保護用蓋体により乾燥器本体と収納空間との連通は維持され、収納空間に対し有効的に持続的に乾燥を行う。
【００３２】
以上、本考案の実施形態について図面を参照して詳述したが、具体的な構成はこの実施形態に限られるものではなく、本考案の要旨を逸脱しない範囲の設計変更等も含まれる。
【符号の説明】
【００３３】
１００  携帯式の防湿貯蔵用容器
２００  開閉用板部
３００  手
４００  物品
５００  変圧器
１  乾燥容器
１１  収納空間
１２  開口部
１３  取っ手部
１４  容器側面
２  乾燥器
２１  乾燥器本体
２１１  吸湿口
２１２  排湿口
２１３  給電部
２１４  表示装置
２１５  制御部材
２２  保護用蓋体
２２１  弧状支持面
２２１１  通気孔
２２１２  凸型板
２２２  側面
２２２１  側面貫通孔
３  充電電池モジュール
【図１】
0003193727.tif 000003
【図２】
0003193727.tif 000004
【図３】
0003193727.tif 000005
【図４】
0003193727.tif 000006
【図５】
0003193727.tif 000007
【図６】
0003193727.tif 000008
【図７】
0003193727.tif 000009